(57)【要約】【課題】制御対象機器の状態等が変化した場合でも、各表示器においてその制御対象機器の状態について正確な表示を行うことのできる制御システム、データ表示方法、表示装置、プログラム及び記録媒体を提供する。【解決手段】表示器３は所定の時間間隔でＷｅｂサーバ装置４にアクセスして制御対象機器２の状態が変化したか否かの監視（ポーリング）を行い、制御対象機器２の状態が変化すると、この制御対象機器２の状態を表示している表示器３は、その制御対象機器の状態を示すポイントの画像データのみをＷｅｂサーバ装置４から取得し、このポイントの画像を変更することで画面を更新するようにした。【選択図】　　　図４
2004120121.tif 000002
【特許請求の範囲】
【請求項１】
１または複数の住宅設備機器から出力される出力情報を表示内容として表示する複数の表示装置と、前記表示装置に表示する表示内容に係る表示データを記憶するとともに、前記住宅設備機器からの出力情報を更新的に記憶するサーバ装置とが通信ネットワークを介して接続されてなり、
各表示装置は、前記サーバ装置に対して所定の周期で前記住宅設備機器からの出力情報が変化したか否かを監視し、前記出力情報が変化すると、その変化後の出力情報を表示内容として表示すべくその表示内容に係る表示データを前記サーバ装置から取得し、この表示データを用いて前記表示内容の表示を更新することを特徴とする制御システム。
【請求項２】
前記表示データは、前記住宅設備機器の出力情報に対応する表示内容を示す画像データを含み、前記表示装置は、複数の表示内容を各表示領域に分けて表示可能とされているとともに、各表示領域において複数の表示内容が択一的に表示可能されており、前記出力情報が変化すると、変化後の出力情報に対応する表示内容を示す画像データを前記サーバ装置から取得し、この画像データを用いて、変化した出力情報に対応する表示領域の表示を、前記変化後の出力情報に対応する表示内容の表示に更新することを特徴とする請求項１に記載の制御システム。
【請求項３】
１または複数の住宅設備機器から出力される出力情報を表示内容として表示する複数の表示装置と、前記表示装置に表示する表示内容に係る表示データを記憶するとともに、前記住宅設備機器からの出力情報を更新的に記憶するサーバ装置とが通信ネットワークを介して接続されてなる制御システムのデータ表示方法であって、
各表示装置に、前記サーバ装置に対して所定の周期で前記住宅設備機器からの出力情報が変化したか否かを監視させ、前記出力情報が変化すると、その変化後の出力情報を表示内容として表示すべくその表示内容に係る表示データを前記サーバ装置から取得させ、この表示データを用いて前記表示内容の表示を更新させることを特徴とするデータ表示方法。
【請求項４】
１または複数の住宅設備機器の出力情報に対応する表示内容に係る表示データを記憶するとともに、前記出力情報を更新的に記憶するサーバ装置に通信ネットワークを介して接続され、前記サーバ装置から送信される前記表示データを用いて前記表示内容を表示する表示装置であって、
前記サーバ装置に対して所定の周期で前記住宅設備機器からの出力情報が変化したか否かを監視する監視手段と、
前記出力情報が変化すると、その変化後の出力情報を表示内容として表示すべくその表示内容に係る表示データを前記サーバ装置から取得する取得手段と、
取得した表示データを用いて前記表示内容を更新的に表示する表示制御手段と、
を備えることを特徴とする表示装置。
【請求項５】
１または複数の住宅設備機器の出力情報に対応する表示内容に係る表示データを記憶するとともに、前記出力情報を更新的に記憶するサーバ装置に通信ネットワークを介して接続された表示装置に前記表示内容を表示させるためのプログラムであって、
前記表示装置を、
前記サーバ装置に対して所定の周期で前記住宅設備機器からの出力情報が変化したか否かを監視する監視手段と、
前記出力情報が変化すると、その変化後の出力情報を表示内容として表示すべくその表示内容に係る表示データを前記サーバ装置から取得する取得手段と、
取得した表示データを用いて前記表示内容を更新的に表示する表示制御手段と、
して機能させるためのプログラム。
【請求項６】
請求項５に記載のプログラムが記録された、前記表示装置により読取可能な記録媒体。
【発明の詳細な説明】
【０００１】
【発明の属する技術分野】
本発明は、Ｗｅｂブラウザ型表示器から、Ｗｅｂサーバ装置及び制御装置を介して制御対象機器の状態の制御を行うとともに、その制御対象機器の状態をＷｅｂブラウザ型表示器で表示する制御システム、データ表示方法、表示装置、プログラム及び記録媒体に関する。
【０００２】
【従来の技術】
従来、照明機器や空調機器等の制御対象機器を制御する制御装置に対し、通信ネットワークで接続されたブラウザ型表示器から、上記制御対象機器の制御を行わせるとともに、当該制御対象機器の状態を表示する制御システムが知られている（例えば、特許文献１参照）。
【０００３】
図９は、この種の制御システムの構成の一例を示す図である。
【０００４】
図９に示すように、制御システム１００は、Ｗｅｂブラウザ上で制御対象機器１０１の状態を表示するとともに、制御対象機器１０１を操作するためのブラウザ型表示器１０２（以下、単に表示器１０２という）と、制御対象機器１０１の状態及び表示器１０２に表示する画面のＨＴＭＬデータを記憶する記憶装置を備え、表示器１０２に制御対象機器１０１の状態に係る情報を提供するＷｅｂサーバ装置１０３、制御対象機器１０１の状態の制御及び監視を行う制御装置１０４、及び複数の制御対象機器１０１から構成されている。表示器１０２及び制御装置１０４は、Ｗｅｂサーバ装置１０３と通信ネットワークを介して接続されているとともに、制御装置１０４と制御対象機器１０１とは、通信線Ｌ’を介して接続されている。
【０００５】
表示器１０２は、制御対象機器１０１の状態を表示する表示部を備えるとともに、表示部に設けられたタッチパネルを操作することで、制御対象機器１０１の操作を行えるように構成されている。その操作による制御指示は、Ｗｅｂサーバ装置１０３を介して制御装置１０４に送信される。
【０００６】
制御指示を受けた制御装置１０４は指定された制御対象機器１０１を制御し、その制御結果情報がＷｅｂサーバ装置１０３に送信され、制御対象機器１０１の状態を更新的に記憶するデータベースを備えたＷｅｂサーバ装置１０３は、その制御結果情報に基づいてデータベースの更新を行い、表示器１０２に、表示すべき更新後の画面に係るＨＴＭＬデータを送信する。これにより、表示器１０２による制御対象機器１０１の状態表示が更新される。
【０００７】
【特許文献１】
特開２０００−２７９７５３号公報
【０００８】
【発明が解決しようとする課題】
ところで、この制御システム１００によれば、操作された表示器１０２以外の他の表示器については、Ｗｅｂサーバ装置１０３からＨＴＭＬデータを受信するようには構成されておらず、上記他の表示器１０２の表示内容が更新されることがない。しかし、制御対象機器１０１の状態表示が、全ての表示器１０２で統一されていないのは、制御システム上、好ましいものではない。表示内容が各表示器１０２で異なっていると、各表示器１０２において同一の制御対象機器１０１に対し同時に異なる操作が行われた場合、制御対象機器１０１の制御等が不安定になる等の不具合が発生する虞があるからである。
【０００９】
本発明は、上記に鑑みてなされたもので、制御対象機器の状態等が変化した場合でも、各表示器においてその制御対象機器の状態について正確な表示を行うことのできる制御システム、データ表示方法、表示装置、プログラム及び記録媒体を提供することを目的とする。
【００１０】
【課題を解決するための手段】
請求項１に記載の発明は、１または複数の住宅設備機器から出力される出力情報を表示内容として表示する複数の表示装置と、前記表示装置に表示する表示内容に係る表示データを記憶するとともに、前記住宅設備機器からの出力情報を更新的に記憶するサーバ装置とが通信ネットワークを介して接続されてなり、各表示装置は、前記サーバ装置に対して所定の周期で前記住宅設備機器からの出力情報が変化したか否かを監視し、前記出力情報が変化すると、その変化後の出力情報を表示内容として表示すべくその表示内容に係る表示データを前記サーバ装置から取得し、この表示データを用いて前記表示内容の表示を更新することを特徴とするものである。
【００１１】
請求項３に記載の発明は、１または複数の住宅設備機器から出力される出力情報を表示内容として表示する複数の表示装置と、前記表示装置に表示する表示内容に係る表示データを記憶するとともに、前記住宅設備機器からの出力情報を更新的に記憶するサーバ装置とが通信ネットワークを介して接続されてなる制御システムのデータ表示方法であって、各表示装置に、前記サーバ装置に対して所定の周期で前記住宅設備機器からの出力情報が変化したか否かを監視させ、前記出力情報が変化すると、その変化後の出力情報を表示内容として表示すべくその表示内容に係る表示データを前記サーバ装置から取得させ、この表示データを用いて前記表示内容の表示を更新させることを特徴とするものである。
【００１２】
請求項４に記載の発明は、１または複数の住宅設備機器の出力情報に対応する表示内容に係る表示データを記憶するとともに、前記出力情報を更新的に記憶するサーバ装置に通信ネットワークを介して接続され、前記サーバ装置から送信される前記表示データを用いて前記表示内容を表示する表示装置であって、前記サーバ装置に対して所定の周期で前記住宅設備機器からの出力情報が変化したか否かを監視する監視手段と、前記出力情報が変化すると、その変化後の出力情報を表示内容として表示すべくその表示内容に係る表示データを前記サーバ装置から取得する取得手段と、取得した表示データを用いて前記表示内容を更新的に表示する表示制御手段とを備えることを特徴とするものである。
【００１３】
請求項５に記載の発明は、１または複数の住宅設備機器の出力情報に対応する表示内容に係る表示データを記憶するとともに、前記出力情報を更新的に記憶するサーバ装置に通信ネットワークを介して接続された表示装置に前記表示内容を表示させるためのプログラムであって、前記表示装置を、前記サーバ装置に対して所定の周期で前記住宅設備機器からの出力情報が変化したか否かを監視する監視手段と、前記出力情報が変化すると、その変化後の出力情報を表示内容として表示すべくその表示内容に係る表示データを前記サーバ装置から取得する取得手段と、取得した表示データを用いて前記表示内容を更新的に表示する表示制御手段として機能させるためのプログラムである。
【００１４】
請求項６に記載の発明は、請求項５に記載のプログラムが記録された、前記表示装置により読取可能な記録媒体である。
【００１５】
請求項１，３〜６に記載の発明によれば、１または複数の住宅設備機器から出力される出力情報はサーバ装置に更新的に記憶される。一方、サーバ装置と通信ネットワークを介して接続されている複数の表示装置は、住宅設備機器から出力される出力情報を表示内容として表示する。なお、住宅設備機器とは、例えば、照明機器や空調機器、あるいは気温、湿度等を測定する測定器等が挙げられる。
【００１６】
その場合に、サーバ装置には、表示装置に表示する表示内容に係る表示データが記憶されており、各表示装置により、サーバ装置に対して所定の周期で住宅設備機器からの出力情報が変化したか否かが監視され、出力情報が変化すると、その変化後の出力情報を表示内容として表示すべくその表示内容に係る表示データがサーバ装置から取得され、この表示データを用いて前記表示内容の表示が更新される。
【００１７】
このように、各表示装置において、住宅設備機器の出力情報が変化したことが判明すると、各表示装置は、その変化後の出力情報を表示内容として表示すべくその表示内容に係る表示データをサーバ装置から取得し、この表示データを用いて前記表示内容の表示を更新するようにしたので、出力情報が変化すると、サーバ装置に通信ネットワークを介して接続されている全ての表示装置において、リアルタイムに上記出力情報の変化に係る表示内容の更新を行うことが可能となる。
【００１８】
ところで、住宅設備機器の出力情報が変化するたびに、表示装置に表示する画面全体の表示データをサーバ装置から取り込むようにすると、画面全体の表示データは情報量が比較的大きいので、短い時間でそのような大きな情報量のデータを送受信するのは、表示装置やサーバ装置、あるいは通信ネットワークに過大な通信負荷がかかる。また、画面全体の表示データは情報量が比較的大きく、この表示データの送受信には比較的時間を要するため、住宅設備機器の出力情報が比較的短い時間の間に複数出力された場合等には、これらの出力情報の変化が表示装置に確実に反映されないことがあるとともに、画面の更新前後で表示装置の表示が瞬間的に消えることがあり、外観上必ずしも好ましいとはいえない。
【００１９】
請求項２に記載の発明は、請求項１に記載の制御システムにおいて、前記表示データは、前記住宅設備機器の出力情報に対応する表示内容を示す画像データを含み、前記表示装置は、複数の表示内容を各表示領域に分けて表示可能とされているとともに、各表示領域において複数の表示内容が択一的に表示可能されており、前記出力情報が変化すると、変化後の出力情報に対応する表示内容を示す画像データを前記サーバ装置から取得し、この画像データを用いて変化した出力情報に対応する表示領域の表示を、前記変化後の出力情報に対応する表示内容の表示に更新することを特徴とするものである。
【００２０】
この発明によれば、住宅設備機器の出力情報が変化すると、変化後の出力情報に対応する表示内容を示す画像データをサーバ装置から取得し、この画像データを用いて、変化した出力情報に対応する表示領域の表示を、変化後の出力情報に対応する表示内容の表示に更新するようにしたので、住宅設備機器の出力情報が変化するたびに、サーバ装置から画面全体の表示データを取り込む構成に比して、表示装置やサーバ装置等に係る通信負荷が低減される。
【００２１】
また、通信負荷が低減されることにより、住宅設備機器の出力情報が比較的短い時間の間に複数出力された場合等でも、これらの出力情報の変化が表示装置に確実に反映されるとともに、画面の更新前後で表示装置の表示が瞬間的に消えるのが防止される。
【００２２】
【発明の実施の形態】
本発明に係る制御システムの実施形態について説明する。
【００２３】
図１は、本実施形態の制御システムの構成図である。
【００２４】
図１に示すように、本実施形態の制御システム１は、照明器具、空調機器等の制御対象機器２、Ｗｅｂブラウザ型液晶表示器３（以下、単に表示器３という）、Ｗｅｂサーバ装置４及び制御装置５が通信ネットワークを介して接続されてなる。表示器３及び制御装置５は、例えばＥｔｈｅｒｎｅｔ（登録商標）等の規格に基づいて構成された通信ネットワークを介してＷｅｂサーバ装置４に接続されているとともに、Ｗｅｂサーバ装置４には、屋外の気温、湿度及び気候を測定する測定器６や、メッセージが入力可能なメッセージ入力装置７が通信線Ｌ１，Ｌ２を介して接続されている。また、制御装置５と制御対象機器２とは、通信線Ｌ３を介して接続されている。なお、制御対象機器２や表示器３等の台数は限定されない。
【００２５】
本制御システム１は、制御対象機器２の操作を行うべく表示器３に対し所定の操作が行われると、Ｗｅｂサーバ装置４を介して制御装置５に対して制御対象機器２の制御が指示される。これにより、制御装置５により制御対象機器２の制御が行われるとともに、制御対象機器２の状態（電源のＯＮ／ＯＦＦなど）や屋外の気温等の情報が、制御装置５や測定器６等からＷｅｂサーバ装置４を介して表示器３に送信されることにより、表示器３に制御対象機器２の状態等が表示されるように構成されている。
【００２６】
その場合に、本実施形態では、表示器３の操作による制御対象機器２の状態変化や測定器６による測定結果の変化が発生した場合や、メッセージ入力装置７によるメッセージの入力があった場合に、表示器３によるこれらの状態等の表示を更新する通信方法に特徴を有している。
【００２７】
すなわち、本実施形態では、表示器３に表示される画面のデータはＨＴＭＬ（Ｈｙｐｅｒ　Ｔｅｘｔ　Ｍａｒｋｕｐ　Ｌａｎｇｕａｇｅ）で記述されている。このようなＨＴＭＬデータを、制御対象機器２の状態等が変更されるたびにＷｅｂサーバ装置４で作成し、そのＨＴＭＬデータを表示器３がＷｅｂサーバ装置４から取り込むようにすると、このようなＨＴＭＬデータは情報量が比較的大きいため、通信負荷が過大となる等の問題が生じる。
【００２８】
そこで、本実施形態では、制御対象機器２の状態等を示す画面には、制御対象機器２を操作するための操作ボタンや測定器５により測定された気温等の数値等が各表示領域に分けて表示され、各表示領域における表示内容のデータは、上記のＨＴＭＬで記述された画面に貼り付けられる画像データであることから、表示器３は、後述する所定の場合には、制御対象機器２の状態等が変更されても、その画面（更新後の画面）に係るＨＴＭＬデータをＷｅｂサーバ装置４から取り込まず、表示を更新すべき操作ボタン等の画像データ（変更後の画像データ）のみをＷｅｂサーバ装置４から取り込むことで、表示部３による制御対象機器２の状態の表示を更新するようにしている。
【００２９】
すなわち、後述するように、Ｗｅｂサーバ装置４には、表示器３に表示される画面に設けられた各操作ボタン等について、制御対象機器２の状態に応じて表示態様の異なる複数の画像データ、例えば照明機器の電源のＯＮ／ＯＦＦについて、操作ボタンの一部領域に設けられた疑似ランプが点灯した電源ＯＮを示す画像データと、疑似ランプが点灯していない電源ＯＦＦを示す画像データとが予め記憶されているので、各表示器３は、上記所定の場合には、制御対象機器２の状態等が変更すると、表示の更新対象の操作ボタン等に係る変更後の画像データのみをＷｅｂサーバ装置４から取り込むことで、その操作ボタン等の表示だけを更新するようにしている。
【００３０】
また、ある表示器３の操作による制御対象機器２の状態の変更等が行われると、各表示器３において、制御対象機器２の状態等の表示の更新がリアルタイムで行われるようにするため、各表示器３は、所定の時間間隔（例えば０．５秒間隔）でＷｅｂサーバ装置４にアクセスして、制御対象機器２の状態等が変化したか否かの監視（以下、ポーリングという）を行うようにし、制御対象機器２の状態変化等が判明すると、各表示器３において、上記のように画像の表示を更新するようにしている。
【００３１】
以下、これらの機能を実現する具体的な構成について説明する。
【００３２】
表示器３は、Ｗｅｂブラウザ上で、制御対象機器２の制御指示及びＨＴＭＬデータで記述された画面等の表示を行うものである。表示器３は、ＬＣＤ等からなるディスプレイを備え、例えば図２に示すように、表示器３の電源をＯＮすると、初期画面８が当該ディスプレイに表示される。初期画面８には、１号会議室から５号会議室までの各会議室における照明機器及び空調機器のＯＮ／ＯＦＦの状態、屋外の気温及び湿度、気候及びメッセージの各項目を表示するマーク１４，１５及び表示部１６〜１９が表示されている。各会議室の表示領域９〜１３には、照明機器のＯＮ／ＯＦＦの状態を点灯／非点灯で示すマーク１４と、空調機器のＯＮ／ＯＦＦの状態を点灯／非点灯で示すマーク１５とが設けられており、例えば３号会議室では、照明機器がＯＦＦし、空調機器がＯＮしていることを示している。
【００３３】
表示器３は、初期画面８を上層として階層的に設けられた複数の画面が択一的に表示可能とされているとともに、ディスプレイ上に設けられたタッチパネルによって各画面における操作ボタンを操作できるようになっている。初期画面８においては、各会議室の表示領域９〜１３が操作ボタンとされており、例えば「１号会議室」の操作ボタンがタッチパネルを介して押圧操作されると、図３に示すように、１号会議室に設置されている照明機器や空調機器の操作を行うための照明・空調操作画面２０が表示される。この操作画面２０は、照明機器の表示領域２１と空調機器の表示領域２２とを有し、照明機器の表示領域２１には、１号会議室における照明機器のＯＮ／ＯＦＦ操作を行うための操作ボタン２３，２４が設けられている一方、空調機器の表示領域２２には、１号会議室における空調機器のＯＮ／ＯＦＦ操作や設定温度の変更を行うための操作ボタン２５〜２９及び設定温度を表示する温度表示部３０等が設けられている。各操作ボタン２３〜２６の表示領域の一部には、ＯＮ／ＯＦＦの状態を点灯／非点灯で示す疑似ランプ２３ａ〜２６ａが設けられている。操作ボタン３１は、当該照明・空調操作画面２０から初期画面８に表示を切り替えるためのボタンである。なお、以下の説明において、初期画面８及び照明・空調操作画面２０におけるマーク１４，１５や疑似ランプ２３ａ〜２６ａ、及び屋外の気温等の表示部１６〜１８，３０を総称してポイントというものとする。各画面８，２０に設けられるポイント数は、図２や図３に示す個数に限られるものではなく、本制御システム１を採用する部屋数や制御対象機器２の設置数等に応じて適宜変更される。
【００３４】
全ての会議室の表示器３において、初期画面８や各会議室についての照明・空調操作画面２０等が表示可能となっているので、この初期画面８で操作対象の制御対象機器２が配設されている会議室を選択し、その会議室についての照明・空調操作画面２０を表示器３に表示させることで、その操作画面２０で当該会議室の制御対象機器２を操作することができる。すなわち、一の会議室に設置された表示部３から、他の会議室内の制御対象機器２に対する遠隔操作を行うことができる。
【００３５】
このように制御対象機器２が操作された場合、あるいは測定器６による測定結果の変化等があった場合には、操作された制御対象機器２の状態あるいは上記測定結果等を表示する画面の更新を行う。すなわち、例えば図１に示すように、１号、４号会議室の表示器３には当該会議室内の照明・空調操作画面２０が表示され、２号、３号及び５号会議室の表示器３には初期画面８が表示されている場合において、１号会議室内の制御対象機器２が操作されたものとすると、その操作時に当該制御対象機器２の状態を表示する表示器３、つまり、１号〜３号及び５号会議室の表示器３の表示がリアルタイムで更新される。ここで行われる更新処理は、表示を更新すべき操作ボタン等の画像データ（変更後の画像データ）のみをＷｅｂサーバ装置４から取り込むことで行われる処理（本実施形態の特徴部分）である。
【００３６】
一方、４号会議室の表示器３のように、操作された制御対象機器２以外の制御対象機器２の状態を表示している場合には、上記のようなリアルタイムな表示の更新を行う必要はなく、例えば初期画面８など、１号会議室内の制御対象機器２の状態を表示する画面に切り替えられた時点で更新画面を表示する。この場合、更新画面は、後述するように更新済みのＨＴＭＬデータをＷｅｂサーバ装置４から取り込むことで表示される。
【００３７】
したがって、上記本実施形態の特徴部分の更新処理は、ある制御対象機器２が操作されたときや測定器６による測定結果が変化した時に該制御対象機器２の状態や測定結果を表示している表示器３に対して行われる（上述した「所定の場合」に相当する）。
【００３８】
Ｗｅｂサーバ装置４は、表示器３から要求があった場合に、Ｗｅｂブラウザ上で、表示器３に表示する表示内容に係るＨＴＭＬデータ、操作ボタン等の画像データ、及び制御対象機器２の状態に係る情報等を、表示器３に提供するサーバである。
【００３９】
制御装置５は、制御対象機器２の状態の制御と、例えば、制御装置５による制御によって制御対象機器２の状態が変化したか否かや、制御対象機器２に故障等の異常が発生していないか否か等の監視とを行うものである。
【００４０】
測定器６は、詳細には説明しないが、屋外の気温、湿度及び天気を測定するものである。測定器６により測定された気温情報等の測定情報は、Ｗｅｂサーバ装置４に出力される。
【００４１】
メッセージ入力装置７は、同じく詳細には説明しないが、例えばキーボード等を備えてなり、所望のメッセージを入力するものである。メッセージ入力装置７により入力されたメッセージ情報は、Ｗｅｂサーバ装置４に出力される。
【００４２】
図４は、本実施形態の制御システム１の制御ブロック図である。
【００４３】
制御対象機器２、測定器６及びメッセージ入力装置７は、図２に示す制御対象機器２、測定器６及びメッセージ入力装置７に相当するものである。
【００４４】
図４に示すように、表示器３は、機能的に、第１通信部３２、第２通信部３３、状態監視部３４、表示制御部３５及び記憶部３６を有する。
【００４５】
第１通信部３２は、ＨＴＭＬデータや画像データのＵＲＬ（Ｕｎｉｆｏｒｍ　ＲｅｓｏｕｒｃｅＬｏｃａｔｏｒ）情報をＷｅｂサーバ装置４に送信するとともに、Ｗｅｂサーバ装置４から送信されるＨＴＭＬデータや画像データを受信するものである。表示器３に対して画面の切替え指示が行われると、Ｗｅｂサーバ装置４にＨＴＭＬデータの送信を要求すべく、第１通信部３２は、切替え後の画面に係るＨＴＭＬデータのＵＲＬ情報を送信するとともに、Ｗｅｂサーバ装置４から送信されるＨＴＭＬデータを受信する。また、制御対象機器２の状態等が変更されると、第１通信部３２は、この操作された制御対象機器２の状態等を現在当該表示器３で表示しているか否かを判定し、表示している場合には、後述の記憶部３６を参照して、表示を更新すべきポイントに係る画像データをＷｅｂサーバ装置４から受信する。
【００４６】
第２通信部３３は、ポーリング時または表示器３による制御対象機器２の操作時に、図５に示す通信フォーマットに基づいて作成された情報を、Ｗｅｂサーバ装置４との間で送受信するものである。表示器３により行われるポーリングは、表示器３が、制御対象機器２の状態に係る情報等の送信をＷｅｂサーバ装置４に要求し、その要求に対してＷｅｂサーバ装置４から返信された制御対象機器２の状態に係る情報等に基づいて、制御対象機器２の状態等が変化したか否かやメッセージ入力装置７によりメッセージが新たに入力されたか否かを判定するものである。なお、図４に示す情報については後述する。第２通信部３３は、ポーリングを行うべくタイマ３３ａを備えており、タイマ３３ａにより所定の時間（例えば０．５秒間隔）が計時される毎にポーリングを行う。
【００４７】
状態監視部３４は、第２通信部３３により受信した、Ｗｅｂサーバ装置４から返信される制御対象機器２の状態に係る情報等に基づいて、制御対象機器２の状態が変化したか否か等を監視するものである。
【００４８】
表示制御部３５は、第１通信部３２により受信したＨＴＭＬデータや画像データを表示器３に表示させる処理を行うものである。
【００４９】
記憶部３６は、どの制御対象機器２の状態の変化等が発生したときに、表示器３の画面のどのポイントの表示をどのように変更するか（表示変更内容）をテーブル形式で記憶するものである。例えば、１号会議室の照明機器がＯＮの状態である場合、記憶部３６には、この照明機器がＯＦＦに操作されたときに初期画面８（図２参照）における１号会議室の表示領域９におけるマーク１４を非点灯にする旨が記憶される。また、制御対象機器２の状態の変化等が発生すると、記憶部３６に記憶されている、当該制御対象機器２等に係るポイントの表示変更内容も変更される。例えば、上記の例では、照明機器がＯＦＦにされた場合、記憶部３６は、上記記憶内容が、照明機器がＯＮにされたときに上記表示領域９におけるマーク１４を点灯にする旨の記憶内容に更新される。上述したように、第１通信部３２は、第２通信部３３で受信された情報により制御対象機器２の状態の変化が発生したことが判明した場合に、この記憶部３６を参照して、表示を更新すべきポイントの画像データをＷｅｂサーバ装置４に要求し、受信する。
【００５０】
Ｗｅｂサーバ装置４は、第１通信部３７、第２通信部３８、第３通信部３９、第４通信部４０、状態情報更新部４１及び記憶部４２を有する。
【００５１】
第１通信部３７は、表示器３の第１通信部３２との間で通信を行うもので、ＨＴＭＬデータや画像データのＵＲＬ情報を表示器３から受信すると、表示器３にＨＴＭＬデータや画像データを送信する。
【００５２】
第２通信部３８は、ポーリング時または表示器３による制御対象機器２の操作時に、図５に示す通信フォーマットに基づいて作成された情報を、表示器３との間で送受信するものである。
【００５３】
図５は、ポーリング時または表示器３による制御対象機器２の操作時に、表示器３の第２通信部３３とＷｅｂサーバ装置４の第２通信部３８との間で行われる通信の通信フォーマットの一例を示すものであり、表示器３の第２通信部３３とＷｅｂサーバ装置４の第２通信部３８とは、この通信フォーマットに基づいて作成された情報を送受信することで、制御対象機器２の制御指示及びポーリング等が行われる。
【００５４】
図５に示すように、通信フォーマットは、要求種別情報を収容する領域、ポイント種別情報を収容する領域、階番号情報を収容する領域、ポイントＩＤ情報を収容する領域、部屋番号情報を収容する領域及び詳細情報を収容する領域からなる。
【００５５】
要求種別情報を収容する領域は、表示器３とＷｅｂサーバ装置４との通信の内容を識別すべく、各通信内容に付せられた識別番号の情報が書き込まれる領域である。通信内容とは、ポーリングを行うために表示器３がＷｅｂサーバ装置４に制御対象機器２の状態等に係る情報を要求する通信内容（この通信内容を状態要求という）、表示器３の操作に基づく制御装置５への制御指示を表示器３からＷｅｂサーバ装置４に要求する通信内容（この通信内容を制御要求という）、表示器３からのポーリングに対し、Ｗｅｂサーバ装置４から表示器３に制御対象機器２の状態に係る情報を返信する通信内容（この通信内容を状態要求返信という）である。状態要求には「１」の番号が、制御要求には「２」の番号が、状態要求返信には「３」の番号を付せられている。本実施形態では、要求種別情報の情報量は、約１Ｂｙｔｅである。
【００５６】
ポイント種別情報を収容する領域は、表示器３に表示されるポイントの種別を識別すべく、各ポイントに対して付せられた識別番号の情報が書き込まれる領域である。表示器３に表示されるポイントとして、本実施形態では、空調用ポイント、照明用ポイント、温度用ポイント、湿度用ポイント、メッセージ用ポイント、気候用ポイントがあり、各ポイントには、「１」〜「７」（「５」を除く）までの番号が伏せられている。なお、本実施形態では、「５」の番号については、リザーブされている。このポイント種別情報により、表示器３による状態要求や制御要求、あるいはＷｅｂサーバ装置４による状態要求返信が行われる場合に、どの種類のポイントに関する情報であるかが識別される。本実施形態では、ポイント種別情報の情報量は、約１Ｂｙｔｅである。
【００５７】
階番号情報を収容する領域は、フロア（階）を識別すべく、各フロアに対して付せられた識別番号の情報が書き込まれる領域である。なお、地下階の場合には、例えばマイナスの値に設定される。階番号情報の情報量は、約２Ｂｙｔｅである。
【００５８】
ポイントＩＤ情報を収容する領域は、本実施形態では、ポイント種別毎に付されたポイントＩＤを指定する情報が書き込まれる領域である。ポイントＩＤ情報の情報量は、約１Ｂｙｔｅである。
【００５９】
部屋番号情報を収容する領域は、部屋番号を識別すべく、部屋番号を指定するための情報が書き込まれる領域である。部屋番号情報の情報量は、約２Ｂｙｔｅである。
【００６０】
詳細情報を収容する領域は、空調機器または照明機器のＯＮ／ＯＦＦや、温度や湿度の値（アナログ値）、あるいは表示するメッセージ内容に係る情報が書き込まれる領域である。詳細情報は、表示器３による制御要求またはＷｅｂサーバ装置４による状態要求返信の通信が行われる場合に書き込まれる。詳細情報の情報量は、最大で約６４Ｂｙｔｅである。
【００６１】
以上の通信フォーマットにより、例えば、ある表示器３により１階の２号会議室の空調機器をＯＮする操作が行われると、その表示器３から、要求種別情報を収容する領域に「２（制御要求）」のコマンドが、ポイント種別情報を収容する領域に「１（空調ポイント）」のコマンドが、階番号情報を収容する領域に「１（１階）」が、ポイントＩＤ情報を収容する領域には所定のＩＤが、部屋番号情報を収容する領域に「２（２号会議室）」が、詳細情報を収容する領域に「ＯＮ」のコマンドがそれぞれ書き込まれた情報Ｄが、Ｗｅｂサーバ装置４に送信される。この情報Ｄの情報量は、最大７１Ｂｙｔｅである。
【００６２】
また、表示器３からＷｅｂサーバ装置４に対しポーリングを行うときには、状態要求の通信を行う。この場合、全てのポイントについてポーリングを行う必要があるので、表示器３において、例えば図６に示すように、ポイント種別毎に、各領域にコマンド等が書き込まれた情報Ｄ１〜Ｄ７を作成し、１回のポーリングでそれらの情報Ｄ１〜Ｄ７を全てＷｅｂサーバ装置４に送信する。Ｗｅｂサーバ装置４は、この状態要求に対して状態要求返信を行うため、状態要求の場合と同様、１回の状態要求の通信に対し、ポイント種別毎に、各領域にコマンドが書き込まれた情報を作成し、それらの情報を全て表示器３に送信する。
【００６３】
第３通信部３９は、制御装置５との間で通信を行うもので、制御装置５に対し制御対象機器２の制御指示を行うための制御指示情報を送信するとともに、制御装置５から制御対象機器２の状態を示す状態情報を受信する。
【００６４】
第４通信部４０は、測定器６により測定された屋外の気温、湿度及び気候の情報や、メッセージ入力装置７により入力されたメッセージを受信するものである。
【００６５】
状態情報更新部４１は、制御装置５から受信した、制御対象機器２の状態等を示す状態情報が、記憶部４２に記憶されている当該制御対象機器２の状態情報等と異なる場合には、その状態情報を書き替えて更新するものである。
【００６６】
記憶部４２は、制御対象機器２の状態、測定器６による測定結果及びメッセージ入力装置７により入力されたメッセージ等を記憶する状態記憶部、表示器３に表示する画面に係るＨＴＭＬデータを記憶するＨＴＭＬデータ記憶部、各ポイントの画像データを記憶する画像データ記憶部を含むものである。
【００６７】
制御装置５は、第１通信部４３及び第２通信部４４を有する。
【００６８】
第１通信部４３は、Ｗｅｂサーバ装置４との間で通信を行うもので、Ｗｅｂサーバ装置４から制御対象機器２の制御指示を行う制御指示情報を受信するとともに、Ｗｅｂサーバ装置４に対し制御対象機器２の状態を示す状態情報を送信する。
【００６９】
第２通信部４４は、制御対象機器２に制御信号を送信するとともに、制御対象機器２から当該機器２の状態を示す状態情報を受信するものである。
【００７０】
次に、表示器３の処理について説明する。図７は、表示器３の処理を示すフローチャートである。なお、説明の簡単化のため、以下の説明におけるポーリングについては、制御対象機器２の状態変化を監視するものとし、測定器６による測定結果の変化やメッセージ入力装置７によるメッセージ入力についての監視は省略している。
【００７１】
図７に示すように、電源がＯＮされる（ステップ♯１）と、第１通信部３２により初期画面８のＨＴＭＬデータをＷｅｂサーバ装置４に要求する（ステップ♯２）。そして、第１通信部３２によりＨＴＭＬデータを受信する（ステップ♯３でＹＥＳ）と、初期画面８を表示し（ステップ♯４）、ポーリングを開始する（ステップ♯５）。すなわち、ステップ♯５以降、ポイント種別毎に作成した情報Ｄ１〜Ｄ７（図６参照）を所定の周期でＷｅｂサーバ装置４に送信する状態要求を行う。
【００７２】
次に、ステップ♯６及び♯７において、第２通信部３３等により、当該表示器２の画面の切替え操作が行われたか否か、及び制御対象機器２が操作されたか否かを判定する。後者の判定は、当該表示器３から行われた状態要求の通信に対し、Ｗｅｂサーバ装置４により行われる状態要求返信に係る情報から、状態が変化した制御対象機器２があるか否かを判定するものである。
【００７３】
そして、当該表示器２の画面の切替え操作が行われた場合（ステップ♯６でＹＥＳ，ステップ♯７でＹＥＳ）には、ステップ♯２に戻り、切替え後の画面のＨＴＭＬデータをＷｅｂサーバ装置４に要求し、第１通信部３２によりＨＴＭＬデータを受信すると、その切替え後の画面を表示する（ステップ♯２〜♯４）。
【００７４】
一方、制御対象機器２がいずれかの表示器２で操作された場合（ステップ♯６でＹＥＳ，ステップ♯７でＮＯ）には、第２通信部３３により図５に示す通信フォーマットに基づいて作成された情報（要求種別情報を収容する領域に、制御要求を示す「２」のコマンドが書き込まれた情報）をＷｅｂサーバ装置４に送信することで制御要求を行い（ステップ♯８）、ステップ♯９の処理に進む。また、ステップ♯６で制御対象機器２が操作されない場合（ステップ♯６でＮＯ）には、ステップ♯８の処理は行わないでステップ♯９の処理に進む。
【００７５】
ステップ♯９では、状態監視部３４により、Ｗｅｂサーバ装置４から返信された状態要求返信に基づいて、状態が変化した制御対象機器２の有無を判定し、状態が変化した制御対象機器２が存在することが判明した場合（ステップ♯９でＹＥＳ）には、第１通信部３２によりその制御対象機器２に対応するポイントの画像データをＷｅｂサーバ装置４に要求し（ステップ♯１０）、その画像データを受信すると、表示制御部３５によりこの画像データを用いてそのポイントの画像を切り替える（ステップ♯１１）。
【００７６】
次に、Ｗｅｂサーバ装置４の処理について説明する。図８は、Ｗｅｂサーバ装置４の処理を示すフローチャートである。
【００７７】
図８に示すように、電源がＯＮされる（ステップ♯２１）と、第１通信部３７により表示器３から何らかの要求があったか否かを判定する（ステップ♯２２）。そして、その要求がＨＴＭＬデータの要求である場合（ステップ♯２３でＹＥＳ）には、第１通信部３７によりＨＴＭＬデータを表示器３に送信し（ステップ♯２４）、状態要求である場合（ステップ♯２５でＹＥＳ）には、第２通信部３８により、ポイント種別毎に作成した情報Ｄ１〜Ｄ７（図６参照）を表示器３に送信する状態要求返信を行う（ステップ♯２６）。
【００７８】
また、制御要求である場合（ステップ♯２７でＹＥＳ）には、第３通信部３９により制御装置５に制御指示情報を送信する（ステップ♯２８）。そして、第３通信部３９により制御装置５から送信された制御指示情報を受信する（ステップ♯２９でＹＥＳ）と、状態情報更新部４１により記憶部４２に記憶されている制御対象機器２の状態情報を更新する（ステップ♯３０）。また、ステップ♯２７で制御要求でない場合、すなわち画像データの要求である場合（ステップ♯２７でＮＯ）には、表示器３により指定されたポイントの画像データを第１通信部３７により表示器３に送信する（ステップ♯３１）。
【００７９】
このように、表示器３は所定の時間間隔でＷｅｂサーバ装置４にアクセスして制御対象機器２の状態変化等が発生したか否かの監視（ポーリング）を行い、制御対象機器２の状態変化等が発生すると、この制御対象機器２の状態等を表示している表示器３は、その制御対象機器の状態等を示すポイントの画像データのみをＷｅｂサーバ装置４から取得し、このポイントの画像を変更することで画面を更新するようにしたので、制御対象機器２の状態変化等が発生するたびに、Ｗｅｂサーバ装置４から逐一ＨＴＭＬデータを取り込む構成に比して通信負荷を低減することができるとともに、制御対象機器２の状態等を全ての表示装置３においてリアルタイムで表示することができる。また、通信負荷の低減により、表示器３が比較的短い時間の間に複数回操作が行われた場合でも、これらの操作による制御結果を表示器３の画面に確実に反映することができるとともに、画面の更新前後で表示器３の表示が瞬間的に消えるのを防止することができる。
【００８０】
なお、上記実施形態では、表示器３は液晶表示装置としたが、これに限られず、ＣＲＴ、プラズマディスプレイ、有機ＥＬ等も採用可能である。
【００８１】
また、上記実施形態においては、照明器具、空調機器等の制御対象機器２、屋外の気温、湿度及び気候を測定する測定器６や、メッセージが入力するためのメッセージ入力装置７を住宅設備機器の一例として挙げたが、これに限られず、他の機器であってもよい。
【００８２】
【発明の効果】
請求項１，３〜６に記載の発明によれば、各表示装置において、住宅設備機器の出力情報が変化したことが判明すると、各表示装置は、その変化後の出力情報を表示内容として表示すべくその表示内容に係る表示データをサーバ装置から取得し、この表示データを用いて前記表示内容の表示を更新するようにしたので、出力情報が変化すると、サーバ装置に通信ネットワークを介して接続されている全ての表示装置において、リアルタイムに上記出力情報の変化に係る表示内容の更新を行うことができる。
【００８３】
請求項２に記載の発明によれば、住宅設備機器の出力情報が変化すると、変化後の出力情報に対応する表示内容を示す画像データをサーバ装置から取得し、この画像データを用いて、変化した出力情報に対応する表示領域の表示を、変化後の出力情報に対応する表示内容の表示に更新するようにしたので、住宅設備機器の出力情報が変化するたびに、サーバ装置から画面全体の表示データを取り込む構成に比して、表示装置やサーバ装置等に係る通信負荷を低減することができる。また、通信負荷が低減されることにより、住宅設備機器の出力情報が比較的短い時間の間に複数出力された場合等でも、これらの出力情報の変化が表示装置に確実に反映されるとともに、画面の更新前後で表示装置の表示が瞬間的に消えるのを防止することができる。
【図面の簡単な説明】
【図１】本実施形態の制御システムの構成図である。
【図２】本実施形態の制御システム１の制御ブロック図である。
【図３】表示器に表示される初期画面を示す説明図である。
【図４】照明機器や空調機器の操作を行うための照明・空調操作画面を示す説明図である。
【図５】通信フォーマットの説明図である。
【図６】ポーリング時に表示器とＷｅｂサーバ装置との間で送受信される情報を説明するための説明図である。
【図７】表示器の処理を示すフローチャートである。
【図８】Ｗｅｂサーバ装置の処理を示すフローチャートである。
【図９】従来の制御システムの構成の一例を示す図である。
【符号の説明】
１　　　制御システム
２　　　制御対象機器
３　　　Ｗｅｂブラウザ型液晶表示器
４　　　Ｗｅｂサーバ装置
５　　　制御装置
６　　　測定器
７　　　メッセージ入力装置
８　　　初期画面
１４，１５　マーク
１６〜１９　表示部
２０　　照明・空調操作画面
２５〜２９　操作ボタン
２３ａ〜２６ａ　疑似ランプ
３０　　温度表示部
３２　　第１通信部
３３　　第２通信部
３３ａ　タイマ
３４　　状態監視部
３５　　表示制御部
３６　　記憶部
３７　　第１通信部
３８　　第２通信部
３９　　第３通信部
４１　　状態情報更新部
４２　　記憶部
【図１】
2004120121.tif 000003
【図２】
2004120121.tif 000004
【図３】
2004120121.tif 000005
【図４】
2004120121.tif 000006
【図５】
2004120121.tif 000007
【図６】
2004120121.tif 000008
【図７】
2004120121.tif 000009
【図８】
2004120121.tif 000010
【図９】
2004120121.tif 000011